(57)【要約】  本発明は、移動通信システムのうち直交周波数分割多重化（ＯＦＤＭ）システムにおいて制御情報を受信する方法に関する。本発明は、第１制御情報を受信するためのサブフレーム内のＯＦＤＭシンボルの個数に関する情報を受信する段階と、第２制御情報を受信するためのサブフレーム中のＯＦＤＭシンボルの個数に関する情報を受信する段階と、前記第１制御情報を受信するためのサブフレーム中のＯＦＤＭシンボル個数に関する前記受信情報によって前記第１制御情報をデコーディングする段階と、前記第２制御情報を受信するためのサブフレーム中のＯＦＤＭシンボルの個数に関する前記受信情報によって前記第２制御情報を復号化する段階と、を含む。ここで、前記第１制御情報を受信するためのＯＦＤＭシンボルの個数は、前記第２制御情報を受信するためのＯＦＤＭシンボル等の個数と等しいか小さい。
2010517412.tif 000002
【特許請求の範囲】
【請求項１】
移動通信システムのうちＯＦＤＭシステムにおいて制御情報を受信する方法であって、
第１制御情報を受信するためのサブフレーム中のＯＦＤＭシンボルの個数に関する情報を受信する段階と、
第２制御情報を受信するためのサブフレーム中のＯＦＤＭシンボルの個数に関する情報を受信する段階と、
前記第１制御情報を受信するためのサブフレーム中のＯＦＤＭシンボル個数に関する前記受信情報によって前記第１制御情報をデコーディングする段階と、
前記第２制御情報を受信するためのサブフレーム中のＯＦＤＭシンボルの個数に関する前記受信情報によって前記第２制御情報を復号化する段階と、を有し、
前記第１制御情報を受信するためのＯＦＤＭシンボルの個数は、前記第２制御情報を受信するためのＯＦＤＭシンボルの個数と等しいか小さい、
ことを特徴とする制御情報受信方法。
【請求項２】
前記第１制御情報を受信するためのＯＦＤＭシンボルの個数が、前記第２制御情報を受信するためのＯＦＤＭシンボルの個数よりも大きい場合には、前記第２制御情報がデコーディングされない、請求項１に記載の制御情報受信方法。
【請求項３】
前記第１制御情報を受信するためのＯＦＤＭシンボルの個数が、前記第２制御情報を受信するためのＯＦＤＭシンボルの個数よりも大きい場合には、前記第２制御情報を受信するためのサブフレーム中のＯＦＤＭシンボルのうち全ての可能な個数のＯＦＤＭシンボルを用いて前記第２制御情報をデコーディングする段階をさらに含む、請求項１に記載の制御情報受信方法。
【請求項４】
前記第１制御情報を受信するためのＯＦＤＭシンボルの個数が、前記第２制御情報を受信するためのＯＦＤＭシンボルの個数よりも大きい場合には、前記第１制御情報を受信するためのＯＦＤＭシンボルの個数と等しいか大きい前記第２制御情報を受信するためのサブフレーム中のＯＦＤＭシンボルのうち全ての可能な個数のＯＦＤＭシンボルを用いて前記第２制御情報をデコーディングする段階をさらに含む、請求項１に記載の制御情報受信方法。
【請求項５】
前記第１制御情報は、ＡＣＫ／ＮＡＣＫ信号を含む、請求項１に記載の制御情報受信方法。
【請求項６】
前記第２制御情報は、物理下り制御チャネル（ＰＤＣＣＨ）を含む、請求項１に記載の制御情報受信方法。
【請求項７】
前記第１制御情報を受信するためのサブフレーム中のＯＦＤＭシンボルの個数に関する情報は、放送チャネルを通じて受信される、請求項１に記載の制御情報受信方法。
【請求項８】
前記第２制御情報を受信するためのサブフレーム中のＯＦＤＭシンボルの個数に関する情報は、物理制御フォーマットインジケータチャネル（ＰＣＦＩＣＨ）を通じて受信される、請求項１に記載の制御情報受信方法。
【請求項９】
前記第２制御情報を受信するためのサブフレーム中のＯＦＤＭシンボルの個数は、１、２または３である、請求項１に記載の制御情報受信方法。
【請求項１０】
移動通信システムのうちＯＦＤＭシステムにおいて制御情報を伝送する方法であって、
第１制御情報を送信するためのサブフレーム中のＯＦＤＭシンボルの個数に関する情報を送信する段階と、
第２制御情報を送信するためのサブフレーム中のＯＦＤＭシンボルの個数に関する情報を送信する段階と、
前記第１制御情報を送信するためのサブフレーム中のＯＦＤＭシンボルの個数に関する前記送信される情報によって前記第１制御情報を送信する段階と、
前記第２制御情報を送信するためのサブフレーム中のＯＦＤＭシンボルの個数に関する前記送信される情報によって前記第２制御情報を送信する段階と、を有し、
前記第１制御情報を送信するためのＯＦＤＭシンボルの個数は、前記第２制御情報を送信するためのＯＦＤＭシンボルの個数と等しいか小さい、
ことを特徴とする制御情報伝送方法。
【請求項１１】
前記第１制御情報は、ＡＣＫ／ＮＡＣＫ信号を含む、請求項１０に記載の制御情報伝送方法。
【請求項１２】
前記第２制御情報は、物理下り制御チャネル（ＰＤＣＣＨ）を含む、請求項１０に記載の制御情報伝送方法。
【請求項１３】
前記第１制御情報を送信するためのサブフレーム中のＯＦＤＭシンボルの個数に関する情報は、放送チャネルを通じて送信される、請求項１０に記載の制御情報伝送方法。
【請求項１４】
前記第２制御情報を送信するためのサブフレーム中のＯＦＤＭシンボルの個数に関する情報は、物理制御フォーマットインジケータチャネル（ＰＣＦＩＣＨ）を通じて送信される、請求項１０に記載の制御情報伝送方法。
【請求項１５】
前記第２制御情報を送信するためのサブフレーム中のＯＦＤＭシンボルの個数は、１、２または３である、請求項１０に記載の制御情報伝送方法。
【発明の詳細な説明】
【技術分野】
【０００１】
本発明は、移動通信システムに関するもので、特に、移動通信システムのうち直交周波数分割多重化（orthogonal frequency division multiplexing：ＯＦＤＭ）システムで制御情報を受信する方法に関する。
【背景技術】
【０００２】
セルラー（cellular）ＯＦＤＭ無線パケット（packet）通信システムで上／下りデータパケット伝送は、サブフレーム（subframe）単位に行なわれ、１サブフレームは、多数のＯＦＤＭシンボルを含む一定時間区間として定義される。この時、上／下りデータパケット伝送のための様々な制御情報が共に伝送される。この制御情報には、上／下りデータパケットの送受信に用いられる無線資源情報、コーディング（coding）方法、変調（modulation）方法など、上／下りデータパケットを送受信するために必要な様々な情報が含まれる。１サブフレームに含まれる多数のＯＦＤＭシンボルの一部または全部を用いて制御情報が伝送される。
【０００３】
そして、セルラーＯＦＤＭ無線パケット通信システムで一つの基地局を通じて多数の端末が通信でき、この場合、多数の端末のそれぞれに対する無線資源を割り当てるためのスケジューリング（scheduling）が必要である。特に、下り（downlink）制御チャネル伝送の場合には、多数の端末に対する制御情報が一緒に伝送されることができるため、制御情報伝送のための無線資源を割り当てるためのスケジューリングも必要である。したがって、このようなスケジューリング情報も伝送される。
【０００４】
１サブフレームに含まれる多数のＯＦＤＭシンボルのうち、制御情報及び／またはスケジューリング情報伝送のために用いられるＯＦＤＭシンボルの数は、通信環境、制御チャネル情報量、スケジューリング情報量等によって毎サブフレームごとに変動することができるため、これに関する情報を受信側に知らせる必要がある。また、制御情報及びスケジューリング情報受信にエラー（error）が発生すると、該当のサブフレームのデータ受信にも誤りが発生する確率が非常に高い。したがって、制御情報及びスケジューリング情報に対するデコーディング（decoding）成功率を高めることができる、従来技術の問題点を克服するためのシステムが必要である。
【発明の概要】
【発明が解決しようとする課題】
【０００５】
本発明は、移動通信システムのうち直交周波数分割多重化（ＯＦＤＭ）システムで制御情報を受信する方法に関する。
【課題を解決するための手段】
【０００６】
本発明の追加的な特徴と利点は、下記の発明の詳細な説明で説明され、一部は発明の詳細な説明から明確に理解されるか、本発明の実施により学習されることができる。本発明の目的及び他の長所は、添付の図面、発明の詳細な説明及び特許請求の範囲に特別に指摘された構造により実現されて達成されることができる。
【０００７】
本発明の目的に応じて、そして上記の及びその他の利点を達成するために、ここに記述され、実施例として与えられるように、本発明は、移動通信システムのうちＯＦＤＭシステムにおいて制御情報を受信する方法に関するものである。この方法は、第１制御情報を受信するためのサブフレーム中のＯＦＤＭシンボルの個数に関する情報を受信する段階と、第２制御情報を受信するためのサブフレーム中のＯＦＤＭシンボルの個数に関する情報を受信する段階と、前記第１制御情報を受信するためのサブフレーム中のＯＦＤＭシンボル個数に関する前記受信情報によって前記第１制御情報をデコーディングする段階と、前記第２制御情報を受信するためのサブフレーム中のＯＦＤＭシンボルの個数に関する前記受信情報によって前記第２制御情報を復号化する段階と、を含む。この時、前記第１制御情報を受信するためのＯＦＤＭシンボルの個数は、前記第２制御情報を受信するためのＯＦＤＭシンボルの個数と等しいか小さい。
【０００８】
好ましくは、前記第１制御情報を受信するためのＯＦＤＭシンボルの個数が、前記第２制御情報を受信するためのＯＦＤＭシンボルの個数よりも大きい場合には、前記第２制御情報は復号化されない。
【０００９】
本発明の他の態様において、前記方法は、前記第１制御情報を受信するためのＯＦＤＭシンボルの個数が、前記第２制御情報を受信するためのＯＦＤＭシンボルの個数よりも大きい場合には、前記第２制御情報を受信するためのサブフレーム中のＯＦＤＭシンボルのうち全ての可能な個数のＯＦＤＭシンボルを用いて前記第２制御情報を復号化する段階をさらに含む。本発明のさらに他の態様において、前記方法は、もし、前記第１制御情報を受信するためのＯＦＤＭシンボルの個数が、前記第２制御情報を受信するためのＯＦＤＭシンボルの個数よりも大きい場合には、前記第１制御情報を受信するためのＯＦＤＭシンボルの個数と等しいか大きい前記第２制御情報を受信するためのサブフレーム中のＯＦＤＭシンボルのうち全ての可能な個数のＯＦＤＭシンボルを用いて前記第２制御情報を復号化する段階をさらに含む。
【００１０】
好ましくは、前記第１制御情報は、ＡＣＫ／ＮＡＣＫ信号を含み、前記第２制御情報は、物理下り制御チャネルを含む。好ましくは、前記第１制御情報を受信するためのサブフレーム中のＯＦＤＭシンボルの個数に関する情報は、放送（broadcast）チャネルを通じて受信される。好ましくは、前記第２制御情報を受信するためのサブフレーム中のＯＦＤＭシンボルの個数に関する情報は、物理制御フォーマットインジケータチャネル（physical control format indicator channel：ＰＣＦＩＣＨ）を通じて受信される。好ましくは、前記第２制御情報を受信するためのサブフレーム中のＯＦＤＭシンボルの個数は、１、２または３である。
【００１１】
本発明のさらに他の態様によると、移動通信システムのうちＯＦＤＭシステムにおいて制御情報を伝送する方法が提供される。前記方法は、第１制御情報を送信するためのサブフレーム中のＯＦＤＭシンボルの個数に関する情報を送信する段階と、第２制御情報を送信するためのサブフレーム中のＯＦＤＭシンボルの個数に関する情報を送信する段階と、前記第１制御情報を送信するためのサブフレーム中のＯＦＤＭシンボルの個数に関する前記送信された情報によって前記第１制御情報を送信する段階と、前記第２制御情報を送信するためのサブフレーム中のＯＦＤＭシンボルの個数に関する前記送信された情報によって前記第２制御情報を送信する段階と、を含む。ここで、前記第１制御情報を送信するためのＯＦＤＭシンボルの個数は、前記第２制御情報を送信するためのＯＦＤＭシンボルの個数と等しいか小さい。
【００１２】
好ましくは、前記第１制御情報は、ＡＣＫ／ＮＡＣＫ信号を含み、前記第２制御情報は、物理下り制御チャネルを含む。
【００１３】
好ましくは、前記第１制御情報を送信するためのサブフレーム中のＯＦＤＭシンボルの個数に関する情報は、放送チャネルを通じて送信される。好ましくは、前記第２制御情報を送信するためのサブフレーム中のＯＦＤＭシンボルの個数に関する情報は、物理制御フォーマットインジケータチャネル（ＰＣＦＩＣＨ）を通じて送信される。好ましくは、前記第２制御情報を送信するためのサブフレーム中のＯＦＤＭシンボルの個数は、１、２または３である。
【００１４】
上述した説明及び以下に記述される発明の詳細な説明はいずれも例示的で且つ説明的なもので、請求された本発明をより詳細に説明するためのものであるということが理解できる。
【００１５】
添付の図面は、本発明の理解を助けるためのもので、本出願書の一部を構成する。また、添付の図面は、本発明の原理を説明するために用いられる発明の詳細な説明と共に本発明の実施例を描写する。本発明の特徴、構成要素、及び側面のうち、異なる図面で同一番号で参照されるものは、一つ以上の実施例による特徴、構成要素、及び側面のうち、互いに同一、等価、または類似しているものを表す。
【図面の簡単な説明】
【００１６】
【図１】本発明の一実施例によってＡＣＫ／ＮＡＫチャネルが伝送されるＯＦＤＭシンボル数（ｍ）の変動周期と制御チャネル伝送用ＯＦＤＭシンボル数（ｎ）の変動周期とを相対的に比較するための図である。
【図２】本発明の一実施例によって直交周波数分割多重化システムにおいて制御チャネルとＡＣＫ／ＮＡＫチャネルの伝送ＯＦＤＭシンボル割当方法の一例を説明するための図である。
【図３】本発明の実施例によって基地局で制御チャネル伝送用ＯＦＤＭシンボル数（ｎ）に関する情報及び制御チャネルを伝送する方法の一例を説明するための流れ図である。
【図４】本発明の実施例によって端末で制御チャネル伝送用ＯＦＤＭシンボル数（ｎ）に関する情報及び制御チャネルを受信する方法の一例を説明するための流れ図である。
【図５】本発明による移動端末を示すブロック図である。
【発明を実施するための形態】
【００１７】
本発明は、移動通信システムのうちＯＦＤＭシステムにおいて制御情報を受信する方法に関する。
【００１８】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すためのものではない。以下の詳細な説明は、本発明の完全な理解を助けるために具体的な細部事項を含む。しかし、当業者には、本発明がこのような具体的細部事項なしにも実施可能であるということがわかる。例えば、以下の説明では一定の用語を中心に説明するが、これらの用語に限定されることはなく、任意の用語で説明される場合にも同じ意味を表すことができる。
【００１９】
場合によっては、本発明の概念が曖昧になるのを避けるために公知の構造及び／または装置は省略されることができ、各構造及び／または装置の核心機能を中心に示すブロック図及び／または流れ図の形式とすることができる。また、本明細書全体にわたって同一の構成要素には同一の図面符号を付して説明する。
【００２０】
以下の実施例は、本発明の構成要素と特徴が所定の形態で互いに結合したものである。各構成要素または特徴は、別の明示的な言及がない限り、選択的なものとして考慮されるべきである。各構成要素または特徴は、他の構成要素や特徴と結合しない形態で実施されることができる。また、一部の構成要素及び／または特徴を結合して本発明の実施例を構成することも可能である。本発明の実施例で説明される動作の順序は変更されることができる。ある実施例の一部構成や特徴は他の実施例に含まれることができ、または、他の実施例の対応する構成または特徴に取り替えられることができる。
【００２１】
本文書において本発明の実施例は基地局と端末間のデータ送受信関係を中心に説明された。ここで、基地局は、端末と直接的に通信を行なうネットワークの終端ノード（terminal node）としての意味を持つ。本文書において基地局により行なわれると説明された特定動作は、場合によっては、基地局の上位ノード（upper node）により行なわれることもできる。すなわち、基地局を含む多数のネットワークノード（network nodes）からなるネットワークにおいて端末との通信のために行なわれる様々な動作は、基地局または基地局以外の他のネットワークノードにより行なわれることができるということは自明である。「基地局」は固定局（fixed station）、Ｎｏｄｅ  Ｂ、ｅＮｏｄｅ  Ｂ（ｅＮＢ）、アクセスポイント（access point）などの用語に代替されることができる。また、「端末」は、ＵＥ（User Equipment）、ＭＳ（Mobile Station）、ＭＳＳ（Mobile Subscriber Station）などの用語に代替可能である。
【００２２】
移動通信システムにおいてパケットデータを伝送する時に、受信側ではパケット受信の成否を送信側に知らせることができる。すなわち。パケット受信に成功した場合にはＡＣＫを伝送し、送信側で新しいパケットを送信するようにし、失敗した場合にはＮＡＫを伝送し、送信側で当該パケットを再伝送するようにすることができる。
【００２３】
このような動作をＡＲＱ（automatic repeat request）という。このようなＡＲＱ動作に対してチャネルコーディング技法を結合し、再伝送されるパケットを既存の受信したパケットと結合させることで、誤り確率を下げ、全体システムの効率を上げることができるＨＡＲＱ（hybrid ARQ）が提案された。このようなＨＡＲＱ方式を適用してシステムの性能を高めるには、ＨＡＲＱには、既存のＡＲＱ動作に比べて速い受信機からのＡＣＫ／ＮＡＫ応答が必要とされる。したがって、ＨＡＲＱにおいてＡＣＫ／ＮＡＫは、物理チャネルシグナリング方式で伝送されることができる。
【００２４】
すなわち、上り（uplink）で伝送されるデータに対する応答である下りＡＣＫ／ＮＡＫ信号を、各サブフレームの「ｍ」個のＯＦＤＭシンボルを通じて伝送するようにすることができる。そして、この時、ＡＣＫ／ＮＡＫ信号は、「ｍ」個のＯＦＤＭシンボル全体よりは「ｍ」個のＯＦＤＭシンボルのうち一部の資源要素を通じて伝送されるようにすることが好ましい。ここで、「ｍ」値は、例えば、セルカバレッジ度合によって変動可能な値である。以下、このようなＡＣＫ／ＮＡＫ信号を伝送するＡＣＫ／ＮＡＫチャネル伝送方法とこれによる制御チャネル伝送用ＯＦＤＭシンボル決定方法についてより具体的に説明する。
【００２５】
図１は、本発明の一実施例によってＡＣＫ／ＮＡＫチャネルが伝送されるＯＦＤＭシンボル数（ｍ）の変動周期と制御チャネル伝送用ＯＦＤＭシンボル数（ｎ）の変動周期とを相対的に比較するための図である。
【００２６】
以下の本発明の実施例は、ＯＦＤＭシステム、例えば、３ＧＰＰ ＬＴＥ ＯＦＤＭ無線通信システムの下り伝送時間間隔（ＴＴＩ：transmit time interval）単位の一つのサブフレーム中のＯＦＤＭシンボルのうち最初ｎ個のＯＦＤＭシンボルが、上／下りスケジューリング信号及びその他の制御信号伝送に用いられる場合について説明する。
【００２７】
ここで、「ｎ」は、制御チャネル伝送用のＯＦＤＭシンボル数を表す。そして、制御チャネル伝送用のＯＦＤＭシンボル数の最大値、すなわち、最大制御チャネル伝送用ＯＦＤＭシンボル数は、「Ｎ」とする。「ｎ」値は主に、下り伝送する上／下り制御信号及び／またはスケジューリング信号の量によって毎サブフレームごとに変えることができ、例えば、Ｎ＝３の場合、ｎは３以下の自然数とすることができる（ｎ≦Ｎ＝３）。
【００２８】
上述したように、「ｎ」値は、サブフレームごとに変動可能な値であるから、各サブフレームにおける「ｎ」値を端末に知らせるために、基地局は、「ｎ」値情報であるＣＣＦＩ（Control Channel Format Indicator）をＰＣＦＩＣＨ（Physical Control Format Indicator channel）で伝送する。例えば、ＣＣＦＩは、サブフレームの最初のＯＦＤＭシンボルを通じて伝送することができる。
【００２９】
上述したように、制御チャネル伝送用ＯＦＤＭシンボル数である「ｎ」値と、ＡＣＫ／ＮＡＫチャネルが伝送されるＯＦＤＭシンボル数である「ｍ」値は可変する値である。しかし、下りでＡＣＫ／ＮＡＫを伝送できるＯＦＤＭシンボル数は主としてセルカバレッジ（cell coverage）によって調整できる値であるから、「ｍ」値は、各セルに対して頻繁に変わる必要がない。また、ＡＣＫ／ＮＡＫを伝送できるＯＦＤＭシンボル数が、制御チャネル伝送用ＯＦＤＭシンボル数のように、サブフレームごとに変動すると、各端末機の上りデータ伝送とこのデータのＡＣＫ／ＮＡＫ信号を伝送するＡＣＫ／ＮＡＫチャネルとの連関性を付与し難くなる。
【００３０】
したがって、本実施例では、ＡＣＫ／ＮＡＫチャネルが伝送されるＯＦＤＭシンボル数（ｍ）は、任意のサブフレームで実際に伝送されるＡＣＫ／ＮＡＫ信号の個数と独立して制御チャネル伝送用ＯＦＤＭシンボル数（ｎ）が変動する周期よりも大きい周期で変動可能な特徴を持つことが好ましい。すなわち、図１に示すように、ＡＣＫ／ＮＡＫチャネルが伝送されるＯＦＤＭシンボル数（ｍ）は、サブフレームごとに変えて設定可能な制御チャネル伝送用ＯＦＤＭシンボル数（ｎ）と比較して相対的に半静的（semi-static）に設定することが好ましい。
【００３１】
この時に、端末がＡＣＫ／ＮＡＫ信号を受信するためにはＡＣＫ／ＮＡＫチャネルの割当構造を知っていなければならないので、基地局は、それらの端末に上位階層ＲＲＣメッセージや放送チャネルを通じて「ｎ」値より遅い周期で「ｍ」値を知らせることができる。これと違い、「ｎ」値は、上述したように、ＣＣＦＩを通じて毎サブフレームごとに伝送されることができる。
【００３２】
図２は、本発明の一実施例によって直交周波数分割多重化システムで制御チャネルとＡＣＫ／ＮＡＫチャネルの伝送ＯＦＤＭシンボル割当方法の一例を説明するための図である。
【００３３】
本実施例では、サブフレームごとに変動可能な制御チャネル伝送用ＯＦＤＭシンボル数（ｎ）の変動範囲において、半静的に変動するＡＣＫ／ＮＡＫチャネルが伝送されるＯＦＤＭシンボル数（ｍ）が、制御チャネル伝送用ＯＦＤＭシンボル数（ｎ）の変動範囲の最小値として設定される方法を提案する。言い換えると、制御チャネル伝送用ＯＦＤＭシンボル数（ｎ）は、ＡＣＫ／ＮＡＫチャネルが伝送されるＯＦＤＭシンボル数である「ｍ」から最大制御チャネル伝送用ＯＦＤＭシンボル数であるＮまでの値のうち、任意の値として選択されることができる。これは下記の数学式１で示すことができる。
【００３４】
ｍ≦ｎ≦Ｎ          （式１）
【００３５】
上記の式１で、「ｍ」、「ｎ」、「Ｎ」は、上述したように、それぞれＡＣＫ／ＮＡＫチャネルが伝送されるＯＦＤＭシンボル数、制御チャネル伝送用ＯＦＤＭシンボル数、最大制御チャネル伝送用ＯＦＤＭシンボル数を表す。ここで、ＡＣＫ／ＮＡＫチャネルは、最初「ｍ」個のＯＦＤＭシンボルに割り当てられることとなる。なお、「Ｎ」値と同様に、ＡＣＫ／ＮＡＫチャネルが伝送されるＯＦＤＭシンボル数の場合にも、最大ＡＣＫ／ＮＡＫチャネルが伝送されるＯＦＤＭシンボル数（Ｍ）をあらかじめ指定し、「ｍ」値が０以上且つＭ以下の範囲で設定されるようにすることができる。この「Ｍ」値も、Ｎ値と等しいか小さい値に指定されることが好ましい。
【００３６】
以上の方式を利用することによって「ｎ」値がサブフレームごとに変わると、１サブフレームで「ｎ」ＯＦＤＭシンボル中にＡＣＫ／ＮＡＫチャネルとして割り当てうる時間／周波数資源の量も変わるにもかかわらず、ＡＣＫ／ＮＡＫチャネル構造は、本発明の実施例によって半静的に固定させながら、その外の制御信号が伝送される制御チャネル伝送用ＯＦＤＭシンボルの個数は、限定された範囲でサブフレームごとに変化させることができる。以下、図２を参照して「Ｍ」値による「ｎ」値の変動範囲の例を説明する。
【００３７】
図２の（ａ）は、ＡＣＫ／ＮＡＫチャネルが伝送されるＯＦＤＭシンボル数（ｍ）が１の場合である。すなわち、ｍ＝１とすると、ＡＣＫ／ＮＡＫチャネルは各サブフレームの最初のＯＦＤＭシンボル内の所定の資源要素を通じて伝送され、「ｎ」値は１から３までサブフレームごとに変わることができる。
【００３８】
図２の（ｂ）は、ＡＣＫ／ＮＡＫチャネルが伝送されるＯＦＤＭシンボル数（ｍ）が２の場合である。すなわち、ｍ＝２とすると、ＡＣＫ／ＮＡＫチャネルは各サブフレームの最初及び２番目のＯＦＤＭシンボル内の所定の資源要素を通じて伝送され、「ｎ」値は２から３まで毎サブフレームごとに変わることができる。
【００３９】
図２の（ｃ）は、ＡＣＫ／ＮＡＫチャネルが伝送されるＯＦＤＭシンボル数（ｍ）が３の場合である。すなわち、ｍ＝３とすると、ＡＣＫ／ＮＡＫチャネルは、各サブフレームの最初、２番目及び３番目のＯＦＤＭシンボル内の所定の資源要素を通じて伝送され、特に、この場合には「ｎ」値は３に固定される。
【００４０】
上述した方法を通じてＡＣＫ／ＮＡＫチャネル構造は半静的に固定させながら、その外の制御信号が伝送される制御チャネル伝送用ＯＦＤＭシンボルの個数は、限定された範囲でサブフレームごとに変化させることができる。また、このようにＡＣＫ／ＮＡＫチャネル伝送を制御チャネル伝送用ＯＦＤＭシンボルを用いて行なうと、各サブフレームで制御チャネル伝送用ＯＦＤＭシンボル以外のＯＦＤＭシンボルを通じて伝送される下りデータとＡＣＫ／ＮＡＫ信号とを多重化して伝送するため、データ伝送電力設定が複雑になるのを防止することができる。
【００４１】
図３は、本発明の実施例によって基地局で制御チャネル伝送用ＯＦＤＭシンボル数（ｎ）に関する情報及び制御チャネルを伝送する方法の一例を説明するための流れ図である。
【００４２】
まず、段階Ｓ１０で、基地局は、指定されているＡＣＫ／ＮＡＫチャネルが伝送されるＯＦＤＭシンボル数（ｍ）を考慮し、ＡＣＫ／ＮＡＫチャネルが伝送されるＯＦＤＭシンボル数（ｍ）を最小値とする範囲内で、制御チャネル伝送用ＯＦＤＭシンボル数（ｎ）を決定することができる。この場合、上述したように、「ｎ」値は、最大制御チャネル伝送用ＯＦＤＭシンボル数（Ｎ）と等しいか小さい値と決定されることが好ましい。
【００４３】
そして、段階Ｓ１１で、基地局は、段階Ｓ１０で決定された制御チャネル伝送用ＯＦＤＭシンボル数（ｎ）に関する情報を、一つ以上の端末に伝送する。そして、段階Ｓ１２で関連制御チャネルを伝送する。
【００４４】
特に、図２の（ｃ）で説明した通り、Ｎ＝Ｍで、ｍ＝Ｍに設定された場合、すなわち、ＡＣＫ／ＮＡＫチャネルが、スケジューリング信号伝送に使用されうる最大制御チャネル伝送用ＯＦＤＭシンボル数（Ｎ）にわたって伝送されるように割り当てられた場合には、「ｎ」値はｎ＝Ｎ以外の値を持つことができないので、「ｎ」値をサブフレームごとにＣＣＦＩを通じて放送しなくて済む。そして、この場合には、ＣＣＦＩ伝送に予約された時間／周波数資源をＣＣＦＩ伝送に使用せずに、別の用途、特に、スケジューリング信号やＡＣＫ／ＮＡＫ信号を含む制御信号伝送に拡張して使用することができる。
【００４５】
以上の説明で可能な「ｎ」値と「ｍ」値はそれぞれ、ｎ≦Ｎ、ｍ≦Ｍで必ずしも１の単位で存在するのではなく、ｎ≦Ｎ、ｍ≦Ｍに存在する特定自然数集合の中からいずれかの値を選択するように設定することができる。ここで、特定自然数集合には０を含むようにすることができる。
【００４６】
図４は、本発明の実施例によって端末で制御チャネル伝送用ＯＦＤＭシンボル数（ｎ）に関する情報及び制御チャネルを受信する方法の一例を説明するための流れ図である。
【００４７】
本実施例でＡＣＫ／ＮＡＫチャネルが伝送されるＯＦＤＭシンボル数（ｍ）は、上述したように、半静的に変動可能な値であり得る。該当のサブフレームを受信してデコーディングするに先立って、端末は、上位階層ＲＲＣメッセージまたは他の放送チャネルから、ＡＣＫ／ＮＡＫチャネルが伝送されるＯＦＤＭシンボル数（ｍ）に関する情報を知っていると仮定する。
【００４８】
まず、段階Ｓ２０で、端末は、ＰＣＦＩＣＨを通じてＣＣＦＩ、すなわち、制御チャネル伝送用ＯＦＤＭシンボル数（ｎ）に関する情報を受信する。この時、制御チャネル伝送用ＯＦＤＭシンボル数（ｎ）は、本発明の実施例によってＡＣＫ／ＮＡＫチャネルが伝送されるＯＦＤＭシンボル数（ｍ）を最小値とする範囲内で変動可能な値である。そして、端末は、制御チャネル伝送用ＯＦＤＭシンボル数である「ｎ」になりうる値を用いて相関値を求める等の方法で、受信した制御チャネル伝送用ＯＦＤＭシンボル数（ｎ）をデコーディングする。
【００４９】
上述したように、移動端末は、本発明による移動端末に既に提供された「ｍ」値に基づいて、期待される「ｎ」値を仮定することができる。したがって、「ｎ」値をデコーディングする時に、移動端末は、「ｎ」値がｍ≦ｎ≦Ｎの範囲にあると仮定し、この範囲内にある「ｎ」値が出力されるようにＣＣＦＩをデコーディングすることができる（Ｓ２０）。
【００５０】
この段階で「ｎ」値を得た後に、移動端末は、制御チャネルが「ｎ」個のＯＦＤＭシンボルを通じて送信されるという仮定の下に第２制御チャネルをデコーディングすることができる（Ｓ３０）。
【００５１】
本発明の他の態様によると、移動端末は、予測される範囲ｍ≦ｎ≦Ｎを考慮せずにＣＣＦＩをデコーディングし、「ｎ」値を得ることができる。したがって、移動端末は、有効範囲ｍ≦ｎ≦Ｎ外にある「ｎ」値を得る場合もありうる。この場合に、移動端末は、全ての可能な「ｎ」値に対して、またはｍ≦ｎ≦Ｎの範囲内にある全ての可能な「ｎ」値に対して制御チャネルのデコーディングを試みることができる。
【００５２】
また、他の例として、獲得した「ｎ」値がｍ≦ｎ≦Ｎの範囲外にある場合に、ＣＣＦＩをデコーディングする段階が「ｎ」値を獲得する上で失敗したと見なされる。こういう場合には、該当する動作をあきらめることができる。例えば、移動端末は「ｎ」値がｍ≦ｎ≦Ｎを満足しないと、サブフレーム内でスケジューリング信号を受信する段階をあきらめることができる。
【００５３】
特に、図２の（ｃ）に示すように、既に知られた「ｍ」値が制御チャネル伝送のためのＯＦＤＭシンボルの最大個数（Ｎ）と同一である場合、すなわち、ｍ＝Ｎである場合、基地局は、ＣＣＦＩを送信しない。または、移動端末は、基地局がＣＣＦＩを送信する場合にもＣＣＦＩをデコーディングしない。なぜなら、移動端末はｎ＝Ｎと仮定したためである。したがって、移動端末は、スケジューリング信号及び他の制御信号が最初Ｎ個のＯＦＤＭシンボルを通じて送信されるという仮定の下に動作することができる。
【００５４】
あるいは、もし、あらかじめ知られた「ｍ」値が、制御チャネル伝送のためのＯＦＤＭシンボルの最大個数（Ｎ）と同一であれば、すなわち、ｍ＝Ｎなら、そして基地局がＣＣＦＩを送信するとすれば、移動端末はＣＣＦＩをデコーディングする。しかし、移動端末は、復号結果に関係なくｎ＝Ｎと仮定する。したがって、移動端末は、スケジューリング信号及び他の制御信号が最初ＮケのＯＦＤＭシンボルを通じて伝送されるという仮定の下に作動できる。
【００５５】
図５は、本発明による移動局（mobile station：ＭＳ）または使用者機器（ＵＥ）１のブロック図である。ＵＥ１は、プロセッサ（またはデジタル信号プロセッサ）２１０、ＲＦモジュール２３５、電力管理モジュール２０５、アンテナ２４０、バッテリ２５５、ディスプレイ２１５、キーパッド２２０、メモリ２３０、スピーカ２４５、及びマイクロホン２５０を含む。
【００５６】
使用者は、例えば、キーパッド２２０のボタンを押したりまたはマイクロホン２５０を介した音声駆動により、電話番号のような指示情報を入力する。マイクロプロセッサ２１０は、当該指示情報を受信して処理し、例えば電話番号で電話をかけるような適切な機能を行なう。作動データはメモリモジュール２３０から抽出され、上記の機能を行なうのに用いられることができる。また、プロセッサ２１０は、使用者の便宜のために当該指示情報及び作動情報をディスプレイ２１５に表示させることができる。
【００５７】
プロセッサ２１０は、指示情報をＲＦモジュール２３５に伝達し、通信を開示する。例えば、音声通信データを含む無線信号を送信する。ＲＦモジュール２３５は、受信器及び送信器を含み、無線信号を送受信する。アンテナ２４０は、無線信号の送受信を助ける。無線信号を受信すると、ＲＦモジュール２３５は、その信号をベースバンド周波数に変換し、プロセッサ２１０に伝達する。このように処理された信号は、可聴（audible）情報または可読（readable）情報に変換され、例えばスピーカ２４５を通じて出力される。プロセッサ２１０はまた、ここに記述された様々な処理過程を行なうのに必要なプロトコル（protocol）及び機能を含むことができる。
【００５８】
特許請求の範囲で明示的な引用関係がされていない請求項を結合して実施例を構成したり、出願後の補正により新しい請求項として含めることができるということは自明である。
【００５９】
本発明による実施例は、様々な手段、例えば、ハードウェア、ファームウェア（firmware）、ソフトウェアまたはそれらの結合などにより具現化されることができる。ハードウェアによる具現化の場合、本発明の一実施例による制御チャネル受信方法は、一つまたはそれ以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどにより具現化されることができる。
【００６０】
ファームウエアやソフトウェアによる具現化の場合、本発明の一実施例による制御チャネル受信方法は、以上で説明された機能または動作を行なうモジュール、手順、関数などの形態で具現化されることができる。ソフトウェアコードはメモリユニットに記憶されてプロセッサーにより駆動されることができる。このメモリユニットはプロセッサ内部または外部に位置し、公知の様々な手段によりプロセッサとデータを交換することができる。
【００６１】
本発明は、本発明の技術的思想及び必須特徴を逸脱しない範囲で他の特定の形態に具体化されることができるということが当業者には自明である。
【００６２】
上述した実施例及び効果は、例示的なもので、本発明を制限するためのものとして解釈されてはいけない。本発明は、他のタイプの装置にも直ちに適用されることができる。本発明の詳細な説明は説明のためのもので、特許請求の範囲を制限するためのものではない。多くの変形例がこの技術分野における技術者には明白である。特許請求の範囲において、ミーンズプラスファンクション（mean-plus-function）表現は、請求された機能を行なうようにここに記述された構造及びその等価的構造を含むように意図されたものである。
【産業上の利用可能性】
【００６３】
本発明は、複数個の搬送波（carrier）を用いる移動通信システムに適用可能である。
【図１】
2010517412.tif 000003
【図２】
2010517412.tif 000004
【図３】
2010517412.tif 000005
【図４】
2010517412.tif 000006
【図５】
2010517412.tif 000007
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
直交周波数分割多重化ＯＦＤＭシステムの移動端末において、物理制御フォーマットチャネル（ＰＣＦＩＣＨ）を介して送られる下り制御チャネルのＯＦＤＭシンボル情報を受信する方法であって、
物理ハイブリッド自動再送要求インジケータチャネルの伝送に利用される第１ＯＦＤＭシンボル数ｍに関する情報を受信し、
下り制御チャネルの伝送に利用される第２ＯＦＤＭシンボル数ｎに関する情報を受信し、
前記ｎは前記ｍと等しいか大きく、前記ｍに関する情報の伝送間隔は前記ｎに関する情報の伝送間隔より大きい、
ことを特徴とする方法。
【請求項２】
前記ｍに関する情報を受信する段階は、前記第１ＯＦＤＭシンボル数ｍをデコーディングする第１デコーディング段階を有し、
前記ｎに関する情報を受信する段階は、前記第２ＯＦＤＭシンボル数ｎをデコーディングする第２デコーディング段階を有し、
前記第２デコーディング段階は、前記ｎは前記ｍと等しいまたは大きいという条件に基づいて実行される、請求項１に記載の方法。
【請求項３】
前記第２コーディング段階によって提供された前記ｎが前記第１デコーディング段階によって提供された前記ｍより小さい場合に、前記第２デコーディング段階でエラーが発生したことを決定する段階を更に有する、請求項２に記載の方法。
【請求項４】
前記第２ＯＦＤＭシンボル数ｎの最大値をＮとすると、Ｎは制御チャネル伝送のためのＯＦＤＭシンボルの最大数であり、
前記第１デコーディング段階によって提供された前記ｍがＮと等しい場合、前記第２デコーディング段階は実行されず、前記ｎはＮと等しいと決定される、請求項２に記載の方法。
【請求項５】
直交周波数分割多重化ＯＦＤＭシステムの基地局において、物理制御フォーマットチャネル（ＰＣＦＩＣＨ）を介して送られる下り制御チャネルのＯＦＤＭシンボル情報を伝送する方法であって、
物理ハイブリッド自動再送要求インジケータチャネルの伝送に利用される第１ＯＦＤＭシンボル数ｍに関する情報を伝送し、
下り制御チャネルの伝送に利用される第２ＯＦＤＭシンボル数ｎに関する情報を伝送し、
前記ｎは前記ｍと等しいか大きく、前記ｍに関する情報の伝送間隔は前記ｎに関する情報の伝送間隔より大きい、
ことを特徴とする方法。
【請求項６】
前記ｍに関する情報は、上位階層ＲＲＣメッセージ又は放送チャネルを通じて伝送される、請求項５に記載の方法。
【国際調査報告】
2010517412.tif 000008
2010517412.tif 000009